(57)【要約】      （修正有）【課題】放熱性及び撮影精度を両立させるカメラモジュールの提供。【解決手段】撮像対象範囲の光像を撮像するように、構成されるカメラモジュール１は、撮像対象範囲から光像が入射するレンズ部材１０と、レンズ部材１０とは反対側へ湾曲する湾曲部２０３を有し、レンズ部材１０を通して湾曲部２０３に結像される光像を撮影するイメージャ２０と、レンズ部材１０及びイメージャ２０の間を光学的に結合し、レンズ部材１０からイメージャ２０へ光像を透過させる透光部材４０と、イメージャ２０の外周部２０２を保持する保持部６０１、並びに保持部６０１の内周側に形成されて放熱流体６０３の対流する流体空間部６０２を、湾曲部２０３の透光部材４０とは反対側に有する台座６０と、を備える。【選択図】図１
2022000669.tif 000002
【特許請求の範囲】
【請求項１】
撮像対象範囲の光像（３）を撮像するように、構成されるカメラモジュール（１）であって、
前記撮像対象範囲から前記光像（３）が入射するレンズ部材（１０）と、
前記レンズ部材とは反対側へ湾曲する湾曲部（２０３）を有し、前記レンズ部材を通して前記湾曲部に結像される前記光像を撮影するイメージャ（２０）と、
前記レンズ部材及び前記イメージャの間を光学的に結合し、前記レンズ部材から前記イメージャへ前記光像を透過させる透光部材（４０）と、
前記イメージャの外周部（２０２）を保持する保持部（６０１）、並びに前記保持部の内周側に形成されて放熱流体（６０３，２６０３）の対流する流体空間部（６０２）を、前記湾曲部の透光部材とは反対側に有する台座（６０）と、を備えるカメラモジュール。
【請求項２】
前記流体空間部には、前記放熱流体（６０３）としての空気が封入される請求項１に記載のカメラモジュール。
【請求項３】
前記流体空間部には、前記放熱流体（２６０３）としての液体が封入される請求項１に記載のカメラモジュール。
【請求項４】
前記保持部は、前記イメージャにおいて前記撮像対象範囲からの前記光像の結像が外れる前記外周部を、保持する請求項１〜３のいずれか一項に記載のカメラモジュール。
【請求項５】
前記イメージャとワイヤボンディングされる撮像基板（３０）を、さらに備え、
筒状の前記保持部が内周側に形成する前記流体空間部には、前記撮像基板が前記湾曲部とは反対側から露出する請求項１〜４のいずれか一項に記載のカメラモジュール。
【請求項６】
前記台座と共に前記撮像基板に固定され、前記レンズ部材及び前記透光部材を保持する鏡筒（５０）を、さらに備える請求項５に記載のカメラモジュール。
【請求項７】
前記レンズ部材は、前記イメージャ側へ向かって凸の出射レンズ面（１０１）を有し、前記光像に対して正のパワーを与える請求項１〜６のいずれか一項に記載のカメラモジュール。
【請求項８】
前記透光部材は、前記出射レンズ面に対して面合わせされる入射凹面（４００）と、前記湾曲部に対して面合わせされる出射凸面（４０１）とを、有する請求項７に記載のカメラモジュール。
【請求項９】
前記出射レンズ面と前記入射凹面とは、機械的に接合される請求項８に記載のカメラモジュール。
【請求項１０】
車両の外界における前記撮像対象範囲を撮像するように、構成される請求項１〜９のいずれか一項に記載のカメラモジュール。
【発明の詳細な説明】
【技術分野】
【０００１】
本開示は、カメラモジュールに関する。
【背景技術】
【０００２】
撮像対象範囲の光像を撮像するように、構成されるカメラモジュールは、広く知られている。例えば特許文献１に開示されるカメラモジュールでは、イメージャのうち入射窓とは反対側へ向かって湾曲する湾曲部に、光像が結像されることで、撮像が実行される。
【先行技術文献】
【特許文献】
【０００３】
【特許文献１】特開２０１５−１９２０７４号公報
【発明の概要】
【発明が解決しようとする課題】
【０００４】
特許文献１に開示のカメラモジュールにおいて、入射窓の封止ガラスとイメージャの湾曲部との間には、空間部が存在する。イメージャの発生した熱は、この空間部に放射されると想定される。しかし、光像が結像される湾曲部よりも光像の入射側に位置する空間部では、イメージャからの放熱による高温空気の屈折率が変化することに起因して、光像入射における光学特性も変化してしまう。この場合、光像に対する撮影精度の悪化が懸念される。
【０００５】
本開示の課題は、撮影精度及び放熱性を両立させるカメラモジュールを、提供することにある。
【課題を解決するための手段】
【０００６】
以下、課題を解決するための本開示の技術的手段について、説明する。尚、特許請求の範囲及び本欄に記載された括弧内の符号は、後に詳述する実施形態に記載された具体的手段との対応関係を示すものであり、本開示の技術的範囲を限定するものではない。
【０００７】
本開示の第一態様は、
撮像対象範囲の光像（３）を撮像するように、構成されるカメラモジュール（１）であって、
撮像対象範囲から光像（３）が入射するレンズ部材（１０）と、
レンズ部材とは反対側へ湾曲する湾曲部（２０３）を有し、レンズ部材を通して湾曲部に結像される光像を撮影するイメージャ（２０）と、
レンズ部材及びイメージャの間を光学的に結合し、レンズ部材からイメージャへ光像を透過させる透光部材（４０）と、
イメージャの外周部（２０２）を保持する保持部（６０１）、並びに保持部の内周側に形成されて放熱流体（６０３，２６０３）の対流する流体空間部（６０２）を、湾曲部の透光部材とは反対側に有する台座（６０）と、を備えるカメラモジュールである。
【０００８】
このような第一態様によると、撮像対象範囲から光像が入射するレンズ部材と、当該レンズ部材を通して湾曲部に結像される光像を撮影するイメージャとの間は、レンズ部材からイメージャへ光像を透過させる透光部材により、光学的に結合される。これによれば、湾曲部よりも光像の入射側では、屈折率の安定し易い透光部材により、光像入射における光学特性の変化を抑制することができる。
【０００９】
しかも第一態様によると、湾曲部の透光部材とは反対側において、イメージャの外周部を保持する保持部の内周側には、放熱流体の対流する流体空間部が形成される。これによれば、湾曲部から流体空間部へ放射された熱が放熱流体へと伝達することで、対流する当該放熱流体により放熱性を発揮することができる。
【００１０】
以上の如き第一態様では、光学特性の変化抑制による高い撮影精度を、放熱性と両立させることが可能となる。
【００１１】
本開示の第二態様は、車両の外界における撮像対象範囲を撮像するように、構成されるカメラモジュールである。この第二態様によると、高温となり易い車両にあっても、上述した第一態様の原理から、光学特性の変化抑制による高い撮影精度を、放熱性と両立させることが可能となる。
【図面の簡単な説明】
【００１２】
【図１】第一実施形態のカメラモジュールを示す縦断面図である。
【図２】第一実施形態のカメラモジュールにより撮影される光像を示す模式図である。
【図３】第一実施形態のカメラモジュールによる光学的構造を説明するための模式図である。
【図４】第二実施形態のカメラモジュールを示す縦断面図である。
【図５】図１の変形例を示す縦断面図である。
【図６】図１の変形例を示す縦断面図である。
【図７】図１の変形例を示す縦断面図である。
【図８】図１の変形例を示す縦断面図である。
【図９】図１の変形例を示す縦断面図である。
【図１０】図１の変形例を示す縦断面図である。
【発明を実施するための形態】
【００１３】
以下、複数の実施形態を図面に基づき説明する。尚、各実施形態において対応する構成要素には同一の符号を付すことで、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。
【００１４】
（第一実施形態）
図１に示す第一実施形態のカメラモジュール１は、撮像対象範囲からの光像３（後述の図２参照）を撮影するように、構成されている。カメラモジュール１は、車両に搭載されることで、当該車両の外界を撮像対象範囲として撮像する。カメラモジュール１は、レンズ部材１０、イメージャ２０、撮像基板３０、透光部材４０、鏡筒５０及び台座６０を備えている。
【００１５】
レンズ部材１０は、撮像対象範囲からの光路上に配置される。レンズ部材１０は、例えばガラス等といった低熱膨張係数且つ高屈折率の透明な透光性硬質材料により、形成されている。レンズ部材１０は、イメージャ２０に対して一段のシングルレンズを、構成している。レンズ部材１０において片面は、撮像対象範囲側へ向かって凸状に湾曲する凸レンズ面を、入射レンズ面１００として形成している。レンズ部材１０において逆面は、撮像対象範囲とは反対側へ向かって凸状に湾曲する凸レンズ面を、出射レンズ面１０１として形成している。これら各レンズ面１００，１０１の形状は、図１の縦断面を含む任意の縦断面においてカーブした、非球面形状又は球面形状を呈している。このように第一実施形態のレンズ部材１０は、両側に凸の両凸レンズである。
【００１６】
レンズ部材１０の光軸は、撮像対象範囲からイメージャ２０までの光軸Ａｌと一致している。レンズ部材１０には、図２に示すような撮像対象範囲からの光像３が、光軸Ａｌに沿って入射する。そこでレンズ面１００，１０１の共同によりレンズ部材１０は、撮像対象範囲からの光像３に対して、図３に示すような光学的に正のパワーを与えて、イメージャ２０側へと透過させる。このようなレンズ部材１０において特に出射レンズ面１０１は、イメージャ２０側へ向かって凸の、湾曲光学面であるといえる。
【００１７】
図１に示すイメージャ２０は、撮像対象範囲からの光路上のうち、レンズ部材１０を挟んで撮像対象範囲とは反対側に配置される。イメージャ２０は、例えばシリコンウェハ等に撮像素子２００が実装されてなる、薄膜半導体デバイスである。イメージャ２０は、湾曲部２０３を有している。湾曲部２０３は、レンズ部材１０とは反対側へ向かって、実質一定厚のアーチ状に湾曲している。ここで第一実施形態の湾曲部２０３は、イメージャ２０の全体により構成されている。これによりイメージャ２０は、全体としてアーチ状を呈している。
【００１８】
湾曲部２０３の片面は、レンズ部材１０とは反対側へ向かって凹状に湾曲する、入射凹面２０４を形成している。湾曲部２０３の逆面は、レンズ部材１０とは反対側へ向かって凸状に湾曲する、放熱凸面２０５を形成している。これら各面２０４，２０５の形状は、図１の縦断面を含む任意の縦断面においてカーブした、非球面形状又は球面形状である。特に入射凹面２０４は、レンズ部材１０のうち出射レンズ面１０１に対して、実質補完関係のカーブ形状、又は緩やかな若しくは急なカーブ形状を呈している。
【００１９】
撮像素子２００は、例えばＣＣＤ又はＣＭＯＳ等といった、カラー式若しくはモノクロ式の半導体素子である。撮像素子２００は、マトリクス状に配置される複数画素を、有している。撮像素子２００は、湾曲部２０３に内包されている。撮像素子２００の撮像面は、入射凹面２０４の少なくとも一部を構成することで、凹状に湾曲している。撮像素子２００の撮像面において光像３を感知可能な有効撮影領域は、撮像対象範囲からイメージャ２０までの光軸Ａｌに対して、実質同軸上に位置決めされている。ここで第一実施形態の撮像素子２００は、イメージャ２０の外周部２０２と一致する湾曲部２０３の外周部２０６よりも内周側に、有効撮影領域を形成している。即ち、撮像素子２００の有効撮影領域は、湾曲部２０３において外周部２０６を除く内周側部分に、形成されている。
【００２０】
図３に示すように撮像素子２００には、レンズ部材１０を通した撮像対象範囲からの光像３が、光軸Ａｌに沿って入射する。このとき、レンズ部材１０の正パワーによって光像３は、湾曲部２０３のうち、撮像素子２００の有効撮影領域に結像される。一方で撮像対象範囲からの光像３は、湾曲部２０３のうち、撮像素子２００の有効撮影領域よりも外周側となる外周部２０６には実質結像されない。そこで撮像素子２００は、有効撮影領域に結像された光像３を撮影することで、撮像対象範囲を撮像してなる撮像信号を出力する。
【００２１】
図１に示す撮像基板３０は、撮像対象範囲からイメージャ２０までの光路からは外れて、配置される。撮像基板３０は、イメージャ２０を挟んでレンズ部材１０とは反対側に位置決めされている。撮像基板３０は、撮像対象範囲からの光軸Ａｌに対しては実質垂直方向に広がる平板状を全体として呈した、回路基板である。撮像基板３０は、例えばステンレス鋼（ＳＵＳ）等といった高熱伝導性の硬質材料から形成されるベース基板３００と、軟質のフレキシブルプリント基板（ＦＰＣ）３０１とを、一体に組み合わせてなる。撮像基板３０のうちフレキシブルプリント基板３０１には、同基板３０の一部として撮像回路３０２が内包又は実装されている。
【００２２】
撮像回路３０２は、複数の回路素子から構成されている。撮像回路３０２は、イメージャ２０の外周部２０２（即ち第一実施形態では、湾曲部２０３の外周部２０６）に対して、さらに外周側となる箇所３０３でワイヤボンディングされている。これにより撮像回路３０２は、イメージャ２０の撮像素子２００と電気接続されている。撮像回路３０２は、撮像素子２００による撮像を制御する。これにより撮像回路３０２は、撮像素子２００から出力される撮像信号を、処理する。さらに撮像回路３０２は、撮像素子２００からの撮像信号を画像処理することで、撮像対象範囲の撮像結果を表す画像信号を、生成してもよい。
【００２３】
透光部材４０は、撮像対象範囲からの光路上のうち、レンズ部材１０とイメージャ２０との間に配置される。透光部材４０は、例えばガラス等といった低熱膨張係数の透明な透光性硬質材料により、形成されている。透光部材４０は、レンズ部材１０とイメージャ２０とにより挟持される厚肉板状を、呈している。
【００２４】
透光部材４０の片面は、レンズ部材１０とは反対側且つイメージャ２０側へ向かって凹状に湾曲する、入射凹面４００を形成している。透光部材４０の逆面は、レンズ部材１０とは反対側且つイメージャ２０側へ向かって凸状に湾曲する、出射凸面４０１を形成している。これら各面４００，４０１の形状は、図１の縦断面を含む任意の縦断面においてカーブした、非球面形状又は球面形状である。特に入射凹面４００は、レンズ部材１０のうち出射レンズ面１０１に対して、実質補完関係のカーブ形状を呈している。一方で出射凸面４０１は、イメージャ２０のうち入射凹面２０４に対して、実質補完関係のカーブ形状を呈している。
【００２５】
入射凹面４００は、出射レンズ面１０１に同軸上に面合わせされている。ここで第一実施形態の入射凹面４００は、レンズ部材１０の出射レンズ面１０１に対して、例えば光学接着剤等により機械的に接合固定されることで、透光部材４０をレンズ部材１０と一体化させている。一方で出射凸面４０１は、入射凹面２０４に同軸上に面合わせされている。ここで第一実施形態の出射凸面４０１は、イメージャ２０の入射凹面２０４に対して、機械的には別体のまま重ねられている。
【００２６】
こうした構成により透光部材４０は、レンズ部材１０とイメージャ２０との間を、光学的に結合している。透光部材４０は、レンズ部材１０を通した撮像対象範囲からの光像３を、光軸Ａｌに沿ってレンズ部材１０からイメージャ２０へと透過させる。
【００２７】
鏡筒５０は、撮像対象範囲からイメージャ２０までの光路の周囲と、当該光路からは外れた箇所とに跨って、配置される。鏡筒５０は、要素１０，２０，３０，４０の外周側に位置決めされている。鏡筒５０は、例えば熱硬化性樹脂等といった低熱膨張係数の遮光性硬質材料により、形成されている。鏡筒５０は、全体として両側開口の段付筒状を呈している。
【００２８】
鏡筒５０において小径側の開口縁部５００は、レンズ部材１０及び透光部材４０に外嵌固定されている。鏡筒５０において大径側端面は、撮像基板３０のうち、フレキシブルプリント基板３０１のベース基板３００とは反対側表面３０４に対して、面合わせ状態で接合固定されている。これらにより、鏡筒５０の保持するレンズ部材１０及び透光部材４０は、当該鏡筒５０を介して撮像基板３０にも保持されている。
【００２９】
台座６０は、撮像対象範囲からイメージャ２０までの光路からは外れて、配置される。台座６０は、イメージャ２０の湾曲部２０３を挟んでレンズ部材１０及び透光部材４０とは反対側であって、当該湾曲部２０３と撮像基板３０のフレキシブルプリント基板３０１との間に位置決めされている。台座６０は、例えば熱硬化性樹脂等といった低熱膨張係数の遮光性硬質材料により、形成されている。台座６０は、全体として両側開口のストレート筒状を呈している。台座６０は、保持部６０１と流体空間部６０２とを、有している。
【００３０】
保持部６０１は、台座６０において筒状の周壁部乃至は側壁部により、構成されている。保持部６０１の片端面は、イメージャ２０の外周部２０２（即ち第一実施形態では、湾曲部２０３の外周部２０６）における放熱凸面２０５に対して、面合わせ状態で接合固定されている。これにより保持部６０１は、イメージャ２０において撮像対象範囲からの光像３の結像が実質外れる外周部２０２を、保持している。保持部６０１の逆端面は、撮像基板３０のうちフレキシブルプリント基板３０１の表面３０４に対して、上述の鏡筒５０と共に、面合わせ状態で接合固定されている。これにより、保持部６０１の保持するイメージャ２０は、当該保持部６０１を介して撮像基板３０にも保持されている。
【００３１】
流体空間部６０２は、保持部６０１の内周側に形成されている。流体空間部６０２は、保持部６０１とイメージャ２０の湾曲部２０３と撮像基板３０のフレキシブルプリント基板３０１とにより、区画されている。湾曲部２０３において保持部６０１の片側開口を全体的に覆う放熱凸面２０５は、保持部６０１の内周側における流体空間部６０２に、露出している。フレキシブルプリント基板３０１において湾曲部２０３とは反対側から保持部６０１の逆側開口を全体的に覆う表面３０４も、流体空間部６０２に、露出している。これらにより流体空間部６０２には、撮像素子２００及び撮像基板３０に発生する熱が、それぞれ放熱凸面２０５及び表面３０４から放射される。そこで流体空間部６０２には、放熱凸面２０５及び表面３０４からの放熱により対流する放熱流体６０３が、封入されている。ここで第一実施形態の放熱流体６０３としては、空気が採用されている。
【００３２】
以上説明した第一実施形態によると、撮像対象範囲から光像３が入射するレンズ部材１０と、当該レンズ部材１０を通して湾曲部２０３に結像される光像３を撮影するイメージャ２０との間は、レンズ部材１０からイメージャ２０へ光像３を透過させる透光部材４０により、光学的に結合される。これによれば、湾曲部２０３よりも光像３の入射側では、屈折率の安定し易い透光部材４０により、光像入射における光学特性の変化を抑制することができる。
【００３３】
しかも第一実施形態によると、湾曲部２０３の透光部材４０とは反対側において、イメージャ２０の外周部２０２を保持する保持部６０１の内周側には、放熱流体６０３の対流する流体空間部６０２が形成される。これによれば、湾曲部２０３から流体空間部６０２へ放射された熱が放熱流体６０３へと伝達することで、対流する当該放熱流体６０３により放熱性を発揮することができる。
【００３４】
以上の如き第一実施形態では、光学特性の変化抑制による高い撮影精度を、放熱性と共に両立させることが可能となる。
【００３５】
第一実施形態による流体空間部６０２には、放熱流体６０３としての空気が封入される。これによれば、放熱性を確保する構造の製造性及び生産性を、向上させることが可能となる。
【００３６】
第一実施形態による保持部６０１は、イメージャ２０において撮像対象範囲からの光像３の結像が外れる外周部２０２を、保持する。これによれば、光像３の結像が外れる外周部２０２を除いて、同像３の結像されることになる湾曲部２０３を、流体空間部６０２に露出させることができる。故に、高い撮影精度と高い放熱性とを両立して担保することが可能となる。
【００３７】
第一実施形態においてイメージャ２０とワイヤボンディングされる撮像基板３０は、筒状保持部６０１の内周側に形成される流体空間部６０２に、湾曲部２０３とは反対側から露出している。これによれば、撮像基板３０から流体空間部６０２へ放射される熱も、放熱流体６０３へと伝達することで、対流する当該放熱流体６０３による放熱性を発揮することができる。故に、光学特性の変化抑制による高い撮影精度を、高い放熱性と共に両立させることが可能となる。
【００３８】
第一実施形態によると、イメージャ２０の湾曲部２０３を保持する台座６０と共に撮像基板３０へと固定される鏡筒５０によって、レンズ部材１０及び透光部材４０が保持される。これによれば、レンズ部材１０とイメージャ２０とを、透光部材４０を挟んで光学的に精確に位置決めすることができる。故に、光学特性の変化抑制と相まって、撮影精度を高めることが可能となる。
【００３９】
第一実施形態によると、イメージャ２０側へ向かって凸の出射レンズ面１０１を有したレンズ部材１０は、光像３に対して正のパワーを与える。これによれば、レンズ部材１０とは反対側へ湾曲する湾曲部２０３との共同により、小型のイメージャ２０であっても、撮像対象範囲を決める画角を広角化することができる。故に、広い撮像対象範囲からの光像入射における光学特性の変化を抑制して、撮影精度を高めることが可能となる。
【００４０】
第一実施形態による透光部材４０では、レンズ部材１０の出射レンズ面１０１に対して入射凹面４００が面合わせされると共に、イメージャ２０の湾曲部２０３に対して出射凸面４０１が面合わせされる。これによれば、レンズ部材１０とイメージャ２０とを、透光部材４０を挟んで光学的に精確に位置決めすることができる。それと共に、イメージャ２０における湾曲部２０３の湾曲形状を、広角化に必要な形状に精確に保持することができる。故に、光学特性の変化抑制と相まって、撮影精度を高めることが可能となる。
【００４１】
第一実施形態によると、透光部材４０の入射凹面４００とレンズ部材１０の出射レンズ面１０１とは、機械的に接合される。これによれば、レンズ部材１０とイメージャ２０とを、透光部材４０を挟んで高精度に位置決めすることができる。故に、光学特性の変化抑制と相まって、高い撮影精度を担保することが可能となる。
【００４２】
第一実施形態のカメラモジュール１は、車両の外界における撮像対象範囲を撮像するように、構成される。これによれば、高温となり易い車両にあっても、上述した原理から、光学特性の変化抑制による高い撮影精度を、放熱性と両立させることが可能となる。
【００４３】
（第二実施形態）
図４に示すように第二実施形態は、第一実施形態の変形例である。
【００４４】
第二実施形態の流体空間部６０２には、イメージャ２０の湾曲部２０３における放熱凸面２０５からの放熱と、撮像基板３０のフレキシブルプリント基板３０１における表面３０４からの放熱により対流するように、放熱流体２６０３としての液体が封入されている。この放熱流体２６０３は、１０Ｗ／ｍ・Ｋ以上の高い熱伝導率を有した液体金属、例えば液状のＧａ−Ｉｎ−Ｓｎ合金等であることが好ましい。
【００４５】
このように第二実施形態の流体空間部６０２には、放熱流体２６０３としての液体が封入される。これによれば、高い放熱性を発揮することが可能となる。
【００４６】
（他の実施形態）
【００４７】
以上、複数の実施形態について説明したが、本開示は、それらの実施形態に限定して解釈されるものではなく、本開示の要旨を逸脱しない範囲内において種々の実施形態及び組み合わせに適用することができる。
【００４８】
第一及び第二実施形態の変形例では、図５に示すようにレンズ部材１０が、出射レンズ面１０１のみ凸の片凸レンズであってもよい。この場合に入射レンズ面１００は、レンズ部材１０の透過させる光像３に正パワーが与えられる限りにおいて、同図の平レンズ面であってもよいし、図示はしないが凹レンズ面であってもよい。
【００４９】
第一及び第二実施形態の変形例では、図６に示すようにイメージャ２０において、台座６０の保持部６０１により保持される外周部２０２が、平板状に形成されていてもよい。この場合にイメージャ２０において湾曲部２０３は、同図の如く外周部２０２よりも内周側に、形成されるとよい。またこの場合、イメージャ２０の外周部２０２よりも内周側において湾曲部２０３の少なくとも一部に、撮像素子２００の有効撮影領域が形成されるとよい。
【００５０】
第一及び第二実施形態の変形例では、図７に示すように撮像基板３０として、例えば樹脂、セラミックス乃至はアルミナ等の基材にプリント配線の施されたプリント基板３０５が、採用されてもよい。この場合に表面３０４は、プリント基板３０５の片面により構成されるとよい。
【００５１】
第一及び第二実施形態の変形例では、図８に示すように、互いに機械的に接合固定されるレンズ部材１０及び透光部材４０のうち一方（同図は透光部材４０の例）が、鏡筒５０により保持されていなくてもよい。第一及び第二実施形態の変形例では、レンズ部材１０の出射レンズ面１０１に対して、透光部材４０の入射凹面４００が、機械的には別体のまま重ねられていてもよい。
【００５２】
第一及び第二実施形態の変形例では、イメージャ２０の入射凹面２０４に対して透光部材４０の出射凸面４０１が、例えば光学接着剤等により機械的に接合固定されていてもよい。この場合には、図９に示すように、鏡筒５０が省かれていてもよい。
【００５３】
第一実施形態の変形例では、図１０に示すように台座６０において、内部の流体空間部６０２と外部とを連通する通気孔６０４が、保持部６０１に設けられていてもよい。この場合には同図に示すように、鏡筒５０において内部と外部とを連通する通気孔５０１が、設けられるとよい。
【００５４】
第二実施形態の変形例では、放熱流体２６０３としての液体が液体金属以外の、例えば水であってもよい。第一及び第二実施形態の変形例では、車両以外にカメラモジュール１が適用されてもよい。
【符号の説明】
【００５５】
１  カメラモジュール、３  光像、１０  レンズ部材、２０  イメージャ、３０  撮像基板、４０  透光部材、５０  鏡筒、６０  台座、１０１  出射レンズ面、２０２  外周部、２０３  湾曲部、４００  入射凹面、４０１  出射凸面、６０１  保持部、６０２  流体空間部、６０３，２６０３  放熱流体
【図１】
2022000669.tif 000003
【図２】
2022000669.tif 000004
【図３】
2022000669.tif 000005
【図４】
2022000669.tif 000006
【図５】
2022000669.tif 000007
【図６】
2022000669.tif 000008
【図７】
2022000669.tif 000009
【図８】
2022000669.tif 000010
【図９】
2022000669.tif 000011
【図１０】
2022000669.tif 000012